(57)【要約】【課題】ホールにおける使用状況を考慮しつつ、不正行為を阻止することが出来る、新規な構造の遊技機を提供することを目的とする。【解決手段】遊技領域１４を覆うように配設された前扉４４の開閉状態を検出する前扉開閉検出手段（Ｓ１５）が前扉４４の閉状態を検出していると共に、入賞装置２０の状態を検出する入賞装置状態検出手段（Ｓ１１）が入賞装置２０における予め定められた特定の状態を検出しており、且つ、可動部材２２を作動制御するための制御信号を検出する制御信号検出手段（Ｓ１２）が可動部材２２を作動制御するための制御信号を検出していない場合には遊技をできないようにする不正行為阻止手段（Ｓ１４）を有するようにした。【選択図】      図１６
2004313208.tif 000002
【特許請求の範囲】
【請求項１】
入口に可動部材を備え、予め定められた作動条件が満たされた場合に該可動部材が入口を拡大又は開放するように作動せしめられる入賞装置を有する遊技機において、
前記入賞装置の状態を検出する入賞装置状態検出手段と、
前記入賞装置が設けられている遊技領域を覆うように配設された前扉の開閉状態を検出する前扉開閉検出手段と、
前記可動部材を作動制御するための制御信号を検出する制御信号検出手段と、
前記前扉開閉検出手段が前記前扉の閉状態を検出していると共に、前記入賞装置状態検出手段が前記入賞装置における予め定められた特定の状態を検出しており、且つ、前記制御信号検出手段が前記制御信号を検出していない場合には不正行為が行われたと判定し、かかる不正行為を停止させる不正時所定処置手段とを、
備えたことを特徴とする遊技機。
【請求項２】
前記不正時所定処置手段が遊技球の発射を不能とすることによって不正行為を停止させるようになっている請求項１に記載の遊技機。
【請求項３】
前記不正時所定処置手段が前記入賞装置への遊技球の入賞に基づく賞球の払い出しを行わせないことで不正行為を停止させるようになっている請求項１又は２に記載の遊技機。
【請求項４】
前記不正時所定処置手段が正常な遊技を妨げることで不正行為を停止させるようになっており、かかる正常な遊技が妨げられた状態を正常な遊技が可能な状態にするための解除操作が、前記前扉を開けることに起因して行われる請求項１乃至３の何れかに記載の遊技機。
【請求項５】
前記入賞装置への遊技球の入賞を検出する主制御部を設けると共に、該主制御部が該入賞装置への遊技球の入賞を検出したことに基づいて賞球の払い出しを行わせる払出制御部を設け、該払出制御部に対して前記入賞装置状態検出手段と前記前扉開閉検出手段と前記制御信号検出手段と前記不正時所定処置手段を設けた請求項１乃至４の何れかに記載の遊技機。
【発明の詳細な説明】
【０００１】
【技術分野】
本発明は、遊技領域に設けられて遊技球が入賞することにより賞球が払い出される入賞装置の入口に対して入賞装置の入口を拡大又は開放可能な可動部材が配設されており、予め定められた作動条件が満たされた場合に可動部材が入賞装置の入口を拡大又は開放するように作動せしめられる遊技機に関するものである。
【０００２】
【背景技術】
遊技機とは、その文字が示すとおり遊ぶことによって楽しみを与える機械であるところ、そこに組み込まれたメカニズム（仕組み）を実現するための技術の多くの部分は、遊技者を如何に楽しませることが出来るかという観点から開発および提供が為されている。そして、このような観点に基づいて、従来から様々な遊技機が提案されており、その一つとして、遊技領域に設けられて遊技球が入賞することにより賞球が払い出される入賞装置の入口に対して入賞装置の入口を拡大又は開放可能な可動部材が配設されており、予め定められた作動条件が満たされた場合に可動部材が入賞装置の入口を拡大又は開放するように作動せしめられる遊技機が提案されている。
【０００３】
このような遊技機は、予め定められた作動条件を満たすと、可動部材が入賞装置の入口を拡大又は開放するように作動せしめられるようになっており、それによって、遊技球の入賞装置への入賞が容易又は可能となることから、遊技者は、かかる作動条件を満たそうと遊技をし、その結果、遊技者に遊技をする楽しみを与えるようになっている。
【０００４】
ところで、可動部材が入賞装置の入口を拡大又は開放するように作動せしめられると、遊技球の入賞装置への入賞が容易又は可能となることから、入賞装置の入口の大きさを拡大又は開放する方向に可動部材を物理的に操作し、遊技球の入賞装置への入賞を容易又は可能とすることを目的とする不正行為が行われる場合がある。そこで、このような不正行為を阻止することを目的として、入賞装置の入口を開放するように可動部材を作動せしめるための作動条件を満たしていない場合に遊技球の入賞装置への入賞が検出されると、遊技球を遊技領域に案内するための発射モータを停止する遊技機が提案されている（例えば、特許文献１参照）。
【０００５】
しかしながら、このような遊技機においては、下記のような場合に問題がある。即ち、遊技者が遊技をすると、稀にではあるが、遊技領域に設けられて遊技球が落下する方向を変化せしめる遊技釘等に遊技領域に案内された遊技球が引っかかること等により、遊技球が遊技領域に残留してしまい、遊技に支障をきたす可能性がある。
【０００６】
そこで、遊技機が設置されたホールの係員が、遊技領域を覆うように配設された前扉を開放し、遊技領域に残留した遊技球を取り除くこととなるが、その際、取り除いた遊技球をお詫びとして入賞装置に入れることがある。このように取り除いた遊技球を入賞装置に入れる場合には、取り除いた遊技球が複数個である場合が多いことから、例えば、第１種パチンコ機における開放扉を備えた大入賞口のように、一度に複数の遊技球を入れることが出来る入賞装置に取り除いた遊技球を入れることが多い。
【０００７】
ところが、例えば、第１種パチンコ機における開放扉を備えた大入賞口等は、遊技者に有利な特別遊技状態が発生した場合にのみ、開放扉が開いて入口が開放されるようになっていることから、上述の如き遊技機においては、ホールの係員が開放扉を開けて大入賞口の入口を開放し、大入賞口内に遊技球を入れると、発射モータが停止してしまうという問題があり、遊技機のホールにおける使用状況を考慮するという点において、未だ十分ではない。
【０００８】
【解決課題】
ここにおいて、本発明は、上述の如き事情を背景として為されたものであって、その解決課題とするところは、ホールにおける使用状況を考慮しつつ、不正行為を停止させることが出来る、新規な構造の遊技機を提供することにある。
【０００９】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【００１０】
本発明の第一の態様は、入口に可動部材を備え、予め定められた作動条件が満たされた場合に該可動部材が入口を拡大又は開放するように作動せしめられる入賞装置を有する遊技機において、（ａ）前記入賞装置の状態を検出する入賞装置状態検出手段と、（ｂ）前記入賞装置が設けられている遊技領域を覆うように配設された前扉の開閉状態を検出する前扉開閉検出手段と、（ｃ）前記可動部材を作動制御するための制御信号を検出する制御信号検出手段と、（ｄ）前記前扉開閉検出手段が前記前扉の閉状態を検出していると共に、前記入賞装置状態検出手段が前記入賞装置における予め定められた特定の状態を検出しており、且つ、前記制御信号検出手段が前記制御信号を検出していない場合には不正行為が行われたと判定し、かかる不正行為を停止させる不正時所定処置手段とを、備えたことを、特徴とする。
【００１１】
このような本態様に従う構造とされた遊技機においては、前扉開閉検出手段が遊技領域を覆うように配設された前扉の閉状態を検出していると共に、入賞装置状態検出手段が入賞装置における予め定められた特定の状態を検出している状態下において、制御信号検出手段が可動部材を作動制御するための制御信号を検出していない場合には、不正時所定処置手段が不正行為が行われたと判定し、かかる不正行為を停止させるようになっていることから、遊技機のホールにおける使用状況を考慮しつつ、不正行為を停止させることが可能となる。
【００１２】
従って、本態様に係る遊技機においては、例えば、遊技球の落下方向を変化せしめることを目的として遊技領域に設けられた遊技釘や入賞装置等に遊技球が引っかかることで遊技球が遊技領域に残留し、遊技に支障をきたす事態が発生した場合に、遊技機が設置されたホールの係員が前扉を開放して遊技領域に残留した遊技球を取り除いて入賞装置内に遊技球を入れることがあったとしても、▲１▼前扉開閉検出手段が前扉の閉状態を検出していること、▲２▼入賞装置状態検出手段が入賞装置における予め定められた特定の状態を検出していること、▲３▼制御信号検出手段が可動部材を作動制御するための制御信号を検出していないこと、という３つの条件の全てを満たしていないことから、不正時所定処置手段が不正行為が行われたと判定しないようになっており、その結果、上述のように、ホールの係員が遊技者に対してサービスとして行う行為が不正行為と判定されないようにすることが可能となり、遊技機のホールでの使用状況を考慮しつつ、不正行為を停止させることが可能となる。
【００１３】
なお、本態様における入賞装置とは、内部に遊技球の入賞を検出する検出スイッチを備えており、かかる検出スイッチからの検出信号に基づいて賞球の払い出しが為され、遊技者に利益を与えることが出来るものをいい、採用されている検出スイッチの数，払い出される賞球の数等は、特定の数に限定されるものではない。また、本態様における入賞装置は、少なくとも遊技者に利益を与えることが出来れば良く、このように遊技者に利益を与える機能に加えて、例えば、遊技領域に設けられた図柄表示装置に表示される複数の変動図柄の変動を開始せしめる等のように、遊技機に遊技動作を行わせる機能等を備えていても良い。そこにおいて、検出スイッチは、従来から公知の近接スイッチ等によって有利に構成される。
【００１４】
また、本態様における可動部材とは、例えば、入賞装置の入口を閉塞しないように配設されて入賞装置の入口が拡大されていない状態および拡大された状態に変化せしめられることで、遊技球の入賞装置への入賞容易性を調整するものや、入賞装置の入口を閉塞可能に配設されて遊技球の入賞が可能な状態と不可能な状態とにすることが出来るもの等をいう。そこにおいて、可動部材は、一つの部材で構成されていても良いし、複数の部材で構成されていても良い。
【００１５】
さらに、本態様における作動条件とは、遊技をすることによって発生する状況等であれば、特に限定されるものではないが、例えば、遊技領域に設けられた図柄表示装置に表示される複数の変動図柄が変動した後、予め定められた図柄組み合わせで停止した場合等が採用され得る。
【００１６】
また、本態様における入賞装置状態検出手段は、例えば、可動部材の機械的な作動を検出するために配設された作動検出スイッチが可動部材の作動を検出して電気信号を出力し、かかる電気信号が入力されたことを遊技動作を制御するＣＰＵがプログラムに従って確認すること，入賞装置の入口が可動部材によって閉塞可能とされている場合に入賞装置内に設けられて遊技球の入賞を検出する入賞検出スイッチが遊技球の入賞を検出して電気信号を出力し、かかる電気信号が入力されたことを遊技動作を制御するＣＰＵがプログラムに従って確認すること等で実現することが出来る。そこにおいて、作動検出スイッチは、従来から公知のマイクロスイッチやリミットスイッチ等で構成することが出来ると共に、入賞検出スイッチは、従来から公知の近接スイッチ等で構成することが出来る。
【００１７】
さらに、本態様における「入賞装置における予め定められた特定の状態」とは、例えば、可動部材が入賞装置の入口を閉鎖しないように配設されており、入賞装置の入口が拡大されていない状態および拡大された状態の何れかに設定される場合には、入賞装置の入口が拡大された状態をいい、可動部材が入賞装置の入口を閉鎖可能に配設されており、入賞装置の入口が閉鎖された状態および開放された状態の何れかに設定される場合には、遊技球が入賞装置に入賞した状態をいう。
【００１８】
また、本態様における前扉開閉検出手段は、例えば、前扉の開閉を検出するために配設された従来から公知のマイクロスイッチやリミットスイッチ等が前扉の開状態を検出して電気信号を出力し、かかる電気信号が入力されたことを遊技動作を制御するＣＰＵがプログラムに従って確認すること等で実現することが出来る。
【００１９】
更にまた、本態様における前扉とは、遊技領域を視認可能な板状又はシート状部材が配設されたものであれば、特に限定されるものではない。
【００２０】
さらに、本態様における「可動部材を作動制御するための制御信号」とは、例えば、可動部材がソレノイドへの通電に基づいて作動せしめられる場合に、かかるソレノイドを駆動するための駆動信号等のように、実際に可動部材を作動せしめる信号であっても良いし、また、可動部材が作動せしめられていることを示す信号や、可動部材を作動せしめる作動条件を満たしていることを示す信号等であっても良い。そこにおいて、「可動部材が作動せしめられていることを示す信号」とは、例えば、遊技動作を制御するＣＰＵがプログラムに従って制御処理をする際の処理データ等を格納するためのＲＡＭに設けられて可動部材が作動せしめられていることを示すフラグ等が採用可能であり、また、「可動部材を作動せしめる作動条件を満たしていることを示す信号」とは、例えば、遊技動作を制御するＣＰＵがプログラムに従って制御処理をする際の処理データ等を格納するためのＲＡＭに設けられて作動条件が満たされていることを示すフラグ等が採用可能である。
【００２１】
また、本態様における制御信号検出手段は、例えば、実際に可動部材を作動せしめる信号が出力されていることを遊技動作を制御するＣＰＵがプログラムに従って確認すること、可動部材が作動せしめられていることを示す信号および可動部材を作動せしめる作動条件を満たしていることを示す信号の何れかを遊技動作を制御するＣＰＵがプログラムに従って確認すること等で有利に実現することが出来る。
【００２２】
さらに、本態様における「不正行為を停止させる」とは、例えば、遊技球が遊技機に対して回動可能に設けられた発射ハンドルの回動操作に基づいて発射されることで遊技領域に案内される場合において、かかる発射ハンドルの回動操作に基づく遊技球の発射を、機械的に、或いは、電気的に阻止することや、遊技球が入賞装置に入賞しても賞球の払い出しが行われないようにすること等のように、不正行為を行ったものの意志に関係なく不正行為を停止させることのみならず、遊技機に設けられたＬＥＤやランプ等を点灯又は点滅する、或いは、遊技機に設けられたスピーカから警告音を発する等のように、周囲に不正行為が行われていることを報知し、不正行為を行ったものの意志に基づいて不正行為を停止させることも含むものとする。
【００２３】
また、本態様における不正時所定処置手段は、例えば、遊技動作を制御するＣＰＵがプログラムに従って制御処理を実行すること等で有利に実現することが出来る。
【００２４】
本発明の第二の態様は、前記第一の態様に係る遊技機において、前記不正時所定処置手段が遊技球の発射を不能とすることによって不正行為を停止させるようになっていることを、特徴とする。このような本態様に従う構造とされた遊技機においては、不正行為が行われた場合には、不正時所定処置手段により遊技球の発射が不能とされることから、不正行為を続行することが出来なくなり、それによって、不正行為を停止させることが可能となる。
【００２５】
なお、本態様における「遊技球の発射を不能とする」とは、遊技球の発射を機械的に、或いは、電気的に阻止することをいい、例えば、遊技機に対して回動可能に設けられた発射ハンドルが回動操作せしめられることで発射モータに電源が供給され、それによって、発射モータの回転軸にクランク機構を介して連結された打球槌が遊技球を弾き出すようになっている場合には、遊技球を遊技領域まで案内するための通路に遮断部材を位置せしめ、打球槌で弾き出された遊技球が遊技領域まで到達しないようすることや、発射モータへの電源供給を停止すること等で実現することが出来る。
【００２６】
本発明の第三の態様は、前記第一又は第二の態様に係る遊技機において、前記不正時所定処置手段が前記入賞装置への遊技球の入賞に基づく賞球の払い出しを行わせないことで不正行為を停止させるようになっていることを、特徴とする。このような本態様に従う構造とされた遊技機においては、不正行為が為された場合には、たとえ入賞装置に遊技球が入賞しても、不正時所定処置手段が、かかる遊技球の入賞に基づく賞球の払い出しを行わせないようになっていることから、遊技機が設置されたホールに損害を与えないようにすることが出来る。また、本態様に係る遊技機においては、遊技球の入賞装置への入賞に基づく賞球の払い出しを不正に行わせることを目的として不正行為が行われる際に、かかる目的を達成できないようにすることが可能となり、また、このような状態で遊技を続けても不正行為を行った遊技者が不利益を蒙るだけであることから、不正行為を続けることを有利に阻止することが可能となる。
【００２７】
本発明の第四の態様は、前記第一乃至第三の何れかの態様に係る遊技機において、前記不正時所定処置手段が正常な遊技を妨げることで不正行為を停止させるようになっており、かかる正常な遊技が妨げられた状態を正常な遊技が可能な状態にするための解除操作が、前記前扉を開けることに起因して行われることを特徴とする。このような本態様に従う構造とされた遊技機においては、前扉を開けることに起因して、正常な遊技が妨げられた状態を解除して正常な遊技が可能な状態にするための解除操作が行われるようになっていることから、かかる解除操作を、遊技機が設置されたホールの係員のみが実施することが可能となり、それによって、不正行為の隠蔽を有利に防止することが可能となる。
【００２８】
なお、本態様における「前扉を開けることに起因して」とは、少なくとも前扉を開けるという動作を行うことをいい、例えば、前扉が開いていることを検出できるセンサが設けられている場合には、かかるセンサからの検出信号に基づいて遊技不能な状態を解除できるようにしても良いし、或いは、前扉が開いた状態でなければ操作できない操作部を設けておき、かかる操作部を操作することで遊技不能な状態を解除できるようにしても良い。また、本態様における「正常な遊技」とは、少なくとも遊技球の発射が可能とされていると共に、賞球の払い出しが可能とされていることをいう。従って、本態様における「正常な遊技が妨げられた状態」とは、遊技球の発射が不可能な状態および賞球の払い出しが不可能な状態の少なくとも一つを満たしている状態をいう。
【００２９】
本発明の第五の態様は、前記第一乃至第四の何れかの態様に係る遊技機において、前記入賞装置への遊技球の入賞を検出する主制御部を設けると共に、該主制御部が該入賞装置への遊技球の入賞を検出したことに基づいて賞球の払い出しを行わせる払出制御部を設け、該払出制御部に対して前記入賞装置状態検出手段と前記前扉開閉検出手段と前記制御信号検出手段と前記不正時所定処置手段を設けたことを特徴とする。このような本態様に従う構造とされた遊技機においては、主制御部が入賞装置への遊技球の入賞を検出したことに基づいて払出制御部に賞球の払い出しを行わせるようになっており、このような払出制御部に対して入賞装置状態検出手段と前扉開閉検出手段と制御信号検出手段と不正時所定処置手段が設けられていることから、不正行為が行われたか否かの判定および不正行為が行われたと判定された場合の不正行為の停止が、払出制御部のみによって行われるようになっていることから、不正行為が行われたか否かの判定および不正行為の継続実施の阻止に関して、外部のノイズの影響を受け難くすることが可能となり、それによって、目的とする不正行為が行われたか否かの判定および不正行為の継続実施の阻止を有利に実現することが可能となる。
【００３０】
また、本態様に従えば、例えば、賞球を不正に払い出させることを目的とする不正行為を阻止するために、従来から払出制御部に施されている不正行為防止用の方策を、そのまま利用して、不正行為が行われた場合であっても不正行為が行われていないように判定させること、或いは、不正行為を継続して行うことが出来るようにすること等を目的とする不正行為を有利に阻止することが可能となる。
【００３１】
なお、本態様における払出制御部とは、制御ＣＰＵと主制御部からの制御コマンドに基づいて制御ＣＰＵに賞球の払出を行わせる制御プログラムや制御データ等が記憶されたＲＯＭを含んで構成される。また、本態様における主制御部とは、制御ＣＰＵ，制御プログラムや制御データ等が記憶されたＲＯＭを含んで構成される。
【００３２】
本発明の第六の態様には、前記第一乃至第五の何れかの態様に係る遊技機において、前記前扉を開いた状態でのみ操作可能な判定中止操作部が設けられており、前記作動条件が満たされていない場合に該判定中止操作部を操作することによって、前記不正時所定処置手段が予め定められた時間だけは不正行為が行われたと判定しないことを、特徴とする。このような本態様に従う構造とされた遊技機においては、作動条件が満たされていない場合に、前扉を開いた状態でのみ操作可能な判定中止操作部が操作されると、予め定められた時間だけは、不正時所定処置手段が不正行為が行われたと判定しないようになっていることから、例えば、ホールの係員がサービスとして入賞装置に遊技球を入れた際に、遊技球が何等かの事情で入賞装置内に引っかかってしまい、前扉を締めた際の振動等によって引っかかりが解除され、遊技球の入賞が検出されることや、物理的に可動部材を操作したこと等によって、可動部材が作動条件が満たされていない状態下における本来の位置に位置せしめられておらず、前扉を閉めた際の振動等によって可動部材が本来の位置に位置せしめられること等によって、ホール係員が不正行為と判定された状態を解除したにも拘わらず、再び不正行為が行われたと判定されることを有利に阻止することが可能となる。
【００３３】
なお、本態様における判定中止操作部とは、遊技全体を制御するＣＰＵに対して判定中止操作部が操作されたことを電気信号によって知らせるセンサ等を備えたものであれば、特に限定されるものではなく、例えば、押圧操作を感知して電気信号を出力するセンサ等を備えたものが採用可能である。
【００３４】
【発明の実施形態】
以下、本発明を更に具体的に明らかにするために、本発明の実施形態について、図面を参照しつつ、詳細に説明する。
【００３５】
先ず、図１には、本発明の一実施形態としてのパチンコ機１０が示されている。このパチンコ機１０は、遊技球が入賞装置としての始動入賞口装置１２に入賞すると遊技領域１４に設けられた特別図柄表示装置１６にて複数（本実施形態では３つ）の特別図柄１８ａ〜ｃが変動し、遊技者に有利な大当たり遊技状態が発生している場合には、入賞装置としての大入賞口装置２０の入口を閉塞するように配設された可動部材としての開放扉２２が大入賞口装置２０の入口を開放する方向に作動せしめられるようになっている。
【００３６】
より詳細には、パチンコ機１０は、中枠２４を備えており、かかる中枠２４が幅方向一方の端部を中心に回動可能な状態で外枠２６に装着されている。また、中枠２４の前面には、横長な長方形状の皿板２８が幅方向一方の端部を中心に回動可能に装着されており、かかる皿板２８の前面には、遊技球を貯留するための上皿３０が固定されている。この上皿３０には、複数のスリットからなる出音口３２が形成されていると共に、かかる出音口３２の後方には、スピーカ３４が固定されている。更に、中枠２４の前面には、上皿３０の下方において、下皿３６が固定されている。この下皿３６は、パチンコ機１０の裏側において、上皿３０に連通せしめられており、上皿３０内から溢れた遊技球が下皿３６内に排出されるようになっている。
【００３７】
また、下皿３６の右側には、発射ハンドル３８が回動可能に装着されており、かかる発射ハンドル３８の裏側には、発射モータ４０（図１４参照）が装着されている。この発射モータ４０の回転軸には、図示しないクランク機構を介して図示しない打球槌が連結されており、発射ハンドル３８が周方向一方の側に回動操作せしめられることによって後述する発射制御回路４２（図１４参照）から発射モータ４０に電源が供給され、打球槌が上皿３０内に貯留された遊技球を弾き出すようになっている。
【００３８】
さらに、中枠２４の前面には、前扉としてのガラス枠４４が幅方向一方の端部を中心に回動可能に装着されている。また、中枠２４の後側には、遊技領域１４を構成する遊技盤４６を保持するための額縁状の機構盤（図示せず）が固定されており、かかる機構盤によって遊技盤４６が保持された状態下において、遊技盤４６は、ガラス枠４４によって保持されたガラス窓で覆われている。更に、ガラス枠４４の幅方向一方の端部には、枠鍵４８が装着されており、かかる枠鍵４８によって中枠２４を外枠２６に対して密着した状態に保持するようになっていると共に、皿板２８とガラス枠４４を中枠２４に密着した状態に保持するようになっている。更にまた、中枠２４には、ガラス枠４４が開いた状態であることを検出するためのガラス枠開放検出スイッチ５０（図１４参照）が設けられている。このガラス枠開放検出スイッチ５０は、従来から公知のマイクロスイッチやリミットスイッチ等で構成することが出来る。
【００３９】
また、遊技盤４６の前面には、レールセット５２が設けられている。このレールセット５２は、薄肉の長手板形状を有する金属製のプレートを厚さ方向に湾曲することによって構成されており、遊技盤４６の前面に取り付けられた状態で、その内周面側において略円形の遊技領域１４が形成されることとなる。また、レールセット５２は、その両端部分において、一方の端部の内周面と他方の端部の外周面が対向位置せしめられており、かかる対向位置せしめられた部分よって、遊技球を遊技領域１４に案内するための案内通路５４が形成されている。そして、打球槌によって弾かれた遊技球は、案内通路５４を通って遊技領域１４の上部に案内された後、遊技盤４６における遊技領域１４に打ち込まれた図示しない複数の遊技釘に当たりながら落下するようになっている。
【００４０】
さらに、遊技盤４６の前面には、額縁状の台板５６が固定されており、かかる台板５６には、特別図柄表示装置１６および普通図柄表示装置５８が固定されている。特別図柄表示装置１６は、カラー液晶表示器からなるものであり、かかる特別図柄表示装置１６の表示画面には、「０」〜「９」までの数字図柄が横三列に表示されるようになっており、これらの数字図柄によって複数の特別図柄１８ａ〜ｃが構成されている。また、普通図柄表示装置５８は、カラー液晶表示器からなるものであり、普通図柄表示装置５８の表示画面には、「３」および「７」の数字図柄が横二列に表示されるようになっており、これらの数字図柄によって普通図柄６０ａ，ｂが構成される。そこにおいて、本実施形態では、特別図柄表示装置１６および普通図柄表示装置５８は、一つの液晶表示器の表示画面を特別図柄１８ａ〜ｃを表示する部分と普通図柄６０ａ，ｂを表示する部分に分割することによって構成されている。
【００４１】
また、遊技盤４６の前面には、特別図柄表示装置１６の下方に位置して、始動入賞口装置１２が設けられている。この始動入賞口装置１２は、図２乃至図６にも示されているように、取付台板６２に対してカバー部材６４が取り付けられた構造とされており、それによって、取付台板６２が遊技盤４６に取り付けられた際に、始動入賞口装置１２がポケット状の外観を呈するようになっている。また、カバー部材６４が取付台板６２に取り付けられることによって、入賞した遊技球を遊技盤４６の裏側に排出する球経路が一つ形成されており、かかる球経路には、入賞した遊技球が球経路を通過したことを検出するために、貫通型近接スイッチで構成された始動口スイッチ６６が配設されている。そして、始動入賞口装置１２に遊技球が入賞すると、始動口スイッチ６６が遊技球を検出して検出信号を出力するようになっている。
【００４２】
さらに、始動入賞口装置１２における遊技球が入賞するための入口には、可動部材としての一対の羽根６８，６８が配設されており、取付台板６２の裏側に配設されたソレノイド７０への通電が行われることによりクランク７２がバネ７４の付勢力に抗して、ソレノイド７０側に引き付けられて一対の羽根６８，６８が開き、始動入賞口装置１２の入口を拡大するようになっている一方、ソレノイド７０への通電が停止されることによりクランク７２がバネ７４の付勢力で本来の位置に戻り、一対の羽根６８，６８が閉じて始動入賞口装置１２の入口が拡大されていない状態となる。
【００４３】
また、始動入賞口装置１２には、クランク７２の作動、即ち、始動入賞口装置１２の入口が拡大されているか否かを検出するための作動検出スイッチ７６が設けられている。そこにおいて、本実施形態では、作動検出スイッチ７６は、ばね鋼等で形成された可動ばね７８と、ソレノイド７０への通電が行われていない状態で可動ばね７８と接触しない固定電極８０を備えている。そして、作動検出スイッチ７６は、ソレノイド７０への通電に基づくクランク７２の作動により可動ばね７８と固定電極８０が接触し、それによって、可動ばね７８と固定電極８０間で行われる通電を検出することで、始動入賞口装置１２の入口が拡大されているか否かを検出するようになっている。特に、本実施形態では、図２に示されているように、一対の羽根６８，６８が閉じた状態では、図３に示されているように、固定電極８０と可動ばね７８が接触しないようになっており、それによって、作動検出スイッチ７６は検出信号を出力しないようになっている一方、図５に示されているように、一対の羽根６８，６８が開いた状態では、図６に示されているように、固定電極８０と可動ばね７８が接触するようになっており、それによって、作動検出スイッチ７６は検出信号を出力するようになっている。
【００４４】
また、遊技盤４６の前面には、二つの始動ゲート８２ａ，ｂが配設されている。始動ゲート８２ａ，ｂは、それぞれ、近接スイッチによって構成された通過スイッチ８４ａ，ｂ（図１３参照）を備えており、遊技球が始動ゲート８２を通過したことを通過スイッチ８４が検出すると、検出信号を出力するようになっている。
【００４５】
さらに、遊技盤４６の前面には、始動入賞口装置１２の下方に位置して大入賞口装置２０が設けられている。この大入賞口装置２０は、図７乃至１１にも示されているように、ＡＢＳ等の硬質の合成樹脂材で形成された取付台板８６に対して、入賞した遊技球を遊技盤４６の裏側に排出するための球流路を二つ形成する球流路形成部材８８が取り付けられた構造とされており、一方の球流路には、かかる球流路を通過する遊技球を検出するための大入賞口カウントスイッチ９０が配設されていると共に、他方の球流路には、かかる球流路を通過する遊技球を検出するための特定領域カウントスイッチ９２が配設されている。そして、取付台板８６が遊技盤４６に取り付けられることにより、大入賞口装置２０が遊技盤４６に取り付けられるようになっている。そこにおいて、本実施形態では、大入賞口カウントスイッチ９０および特定領域カウントスイッチ９２は、何れも、貫通型近接スイッチによって構成されている。そして、大入賞口装置２０に遊技球が入賞し、大入賞口カウントスイッチ９０が配設された球通路を遊技球が通過すると、大入賞口カウントスイッチ９０が検出信号を出力するようになっている一方、特定領域カウントスイッチ９２が配設された球通路を遊技球が通過すると、特定領域カウントスイッチ９２が検出信号を出力するようになっている。また、大入賞口装置２０には、二つの球通路のうちの何れか一方を遊技球が通過しやすくするための可動片９４が設けられており、かかる可動片９４は、図示しない可動片用ソレノイドによって駆動されるようになっている。
【００４６】
また、大入賞口装置２０の前面には、開放扉２２が一軸回りに回動可能に装着されており、かかる開放扉２２は、取付台板８６の裏側に固定された大入賞口ソレノイド９６のプランジャにクランク機構を介して連結されている。そして、開放扉２２は、大入賞口ソレノイド９６への断電時には、大入賞口装置２０の入口を閉塞するようになっている一方、大入賞口ソレノイド９６への通電時には、大入賞口装置２０の入口を開放するようになっている。
【００４７】
さらに、パチンコ機１０の裏側には、図１２に示されているように、上端部に位置して賞球タンク９８が設けられており、かかる賞球タンク９８内には、遊技球が貯留されている。また、パチンコ機１０の裏側には、タンクレール１００および賞球払出装置１０２が設けられており、賞球払出装置１０２がタンクレール１００を介して賞球タンク９８に接続されていることにより、賞球タンク９８に貯留された遊技球がタンクレール１００を通じて賞球払出装置１０２に供給されるようになっている。賞球払出装置１０２内には、パルスモータからなる賞球モータを駆動源とする賞球払出機構が収容されており、賞球モータの回転軸が単位量回転する毎に賞球払出装置１０２内から下方へ１個ずつ遊技球（賞球）が払い出されるようになっており、このように賞球払出装置１０２から払い出された遊技球は賞球払出装置１０２と上皿３０を繋ぐ球通路（図示せず）を介して、上皿３０内に供給されるようになっている。
【００４８】
このようなパチンコ機１０は、図１３に示されているような主制御回路１０４によって、その遊技が全体的に制御されるようになっている。この主制御回路１０４には、主制御回路１０４を制御する主制御ＣＰＵ１０６，制御プログラムや制御処理に必要なデータ等を格納するための主制御用ＲＯＭ１０８，各種処理データ等を格納するための主制御用ＲＡＭ１１０，主制御用入力ポート１１２および主制御用出力ポート１１４が設けられており、これら主制御ＣＰＵ１０６，主制御用ＲＯＭ１０８，主制御用ＲＡＭ１１０，主制御用入力ポート１１２および主制御用出力ポート１１４は、バス線１１６によって相互に接続されている。また、主制御用入力ポート１１２には、始動口スイッチ６６，通過スイッチ８４ａ，通過スイッチ８４ｂ，大入賞口カウントスイッチ９０，特定領域カウントスイッチ９２等が接続されている。更に、主制御用出力ポート１１４には、特別図柄表示装置１６および普通図柄表示装置５８での表示制御を行う表示制御回路１１８，ソレノイド７０を駆動するためのソレノイド駆動回路１２０，大入賞口ソレノイド９６を駆動するための大入賞口ソレノイド駆動回路１２２，賞球の払い出し等を行う払出制御回路１２４等が接続されている。なお、主制御用入力ポート１１２に接続されているスイッチ６６，８４ａ，ｂ，９０，９２と主制御用入力ポート１１２の間，主制御用出力ポート１１４に接続されている回路１１８，１２０，１２２，１２４と主制御用出力ポート１１４の間には、それぞれ、必要に応じてバッファ回路が設けられるようになっている。
【００４９】
また、図１４には、払出制御回路１２４が示されている。この払出制御回路１２４には、払出制御回路１２４を制御する払出制御ＣＰＵ１２６，制御プログラムや制御処理に必要なデータ等を格納するための払出用ＲＯＭ１２８，各種処理データ等を格納するための払出用ＲＡＭ１３０，払出用入力ポート１３２および払出用出力ポート１３４が設けられており、これら払出制御ＣＰＵ１２６，払出用ＲＯＭ１２８，払出用ＲＡＭ１３０，払出用入力ポート１３２および払出用出力ポート１３４は、バス線１３６によって相互に接続されている。また、払出用入力ポート１３２には、主制御回路１０４，ガラス枠開放検出スイッチ５０，作動検出スイッチ７６，ソレノイド駆動回路１２０，大入賞口ソレノイド駆動回路１２２等が接続されている。更に、払出用出力ポート１３４には、賞球払出装置１０２，発射モータ４０に電源を供給するための発射制御回路４２，スピーカ３４を鳴動制御するための鳴動制御回路１３８等が接続されている。なお、払出用入力ポート１３２に接続されているスイッチ５０，７６および回路１０４，１２０，１２２と払出用入力ポート１３２の間，払出用出力ポート１３４に接続されている回路４２，１３８および賞球払出装置１０２と払出用出力ポート１３４の間には、それぞれ、必要に応じてバッファ回路が設けられるようになっている。
【００５０】
このようなパチンコ機１０においては、主制御ＣＰＵ１０６が通過スイッチ８４ａ，ｂの何れかからの検出信号が入力されたと判定すると、主制御ＣＰＵ１０６が検出信号の入力時に取得した複数の普通図柄６０ａ，ｂに関する情報に基づいて表示制御回路１１８に複数の普通図柄６０ａ，ｂの変動および停止を行わせるようになっている。そして、複数の普通図柄６０ａ，ｂが予め定められた図柄組み合わせ（本実施形態では、「３３」又は「７７」）で停止する場合には、複数の普通図柄６０ａ，ｂの変動が停止した後、主制御ＣＰＵ１０６がソレノイド駆動回路１２０を介してソレノイド７０を所定時間だけ駆動することにより始動入賞口装置１２の入口に配設された一対の羽根６８，６８を所定時間だけ開き、それによって、始動入賞口装置１２の入口を所定時間だけ拡大する当たり遊技処理を実行するようになっている。
【００５１】
また、このようなパチンコ機１０においては、主制御ＣＰＵ１０６が始動口スイッチ６６からの検出信号が入力されたと判定すると、主制御ＣＰＵ１０６が検出信号の入力時に取得した複数の特別図柄１８ａ〜ｃに関する情報に基づいて表示制御回路１１８に複数の特別図柄１８ａ〜ｃの変動および停止を行わせるようになっている。そして、複数の特別図柄１８ａ〜ｃが予め定められた図柄組み合わせ（本実施形態では、「０００」，「１１１」，「２２２」，「３３３」，「４４４」，「５５５」，「６６６」，「７７７」，「８８８」，「９９９」の何れか）で停止する場合には、複数の特別図柄１８ａ〜ｃの変動が停止した後に、主制御ＣＰＵ１０６が大入賞口ソレノイド駆動回路１２２を介して大入賞口ソレノイド９６を所定時間だけ駆動することにより大入賞口装置２０の入口を閉塞するように配設された開放扉２２を大入賞口装置２０の入口を開放する方向に駆動変位せしめ、大入賞口装置２０の入口が開放されている間に大入賞口カウントスイッチ９０および特定領域カウントスイッチ９２がカウントした入賞個数の合計が所定個数（本実施形態では、１０個）に達した場合、或いは、大入賞口装置２０の入口を開放している時間が所定時間（本実施形態では、３０秒）に達した場合には、大入賞口ソレノイド９６への通電を停止し、開放扉２２を大入賞口装置２０の入口を閉塞する方向に返戻作動せしめ、更に、大入賞口装置２０の入口が一回開放されている間に特定領域カウントスイッチ９２が遊技球の通過を検出した場合に限り、大入賞口装置２０の入口の開放を所定回数（本実施形態では、１５回）まで繰り返す大当たり遊技処理を実行する。
【００５２】
さらに、このようなパチンコ機１０においては、主制御ＣＰＵ１０６が始動口スイッチ６６からの検出信号が入力されたと判定した場合には、主制御ＣＰＵ１０６が払出制御回路１２４に５個の賞球（遊技球）を払い出させるようになっている一方、主制御ＣＰＵ１０６が大入賞口カウントスイッチ９０又は特定領域カウントスイッチ９２からの検出信号が入力されたと判定した場合には、主制御ＣＰＵ１０６が払出制御回路１２４に１５個の賞球（遊技球）を払い出させるようになっている。
【００５３】
続いて、このようなパチンコ機１０の第一の不正行為判定処理を、図１５に基づいて、説明する。先ず、ステップ（以下、Ｓという）１において、払出制御ＣＰＵ１２６は、始動入賞口装置１２に遊技球が入賞したか否かを判定する。この判定は、始動入賞口装置１２に遊技球が入賞した際に払い出す賞球数と主制御ＣＰＵ１０６が払出制御回路１２４に払い出させる賞球の数が同じであるか否か、或いは、主制御ＣＰＵ１０６が払出制御回路１２４に賞球の払い出しを行わせるために送信する払出コマンドに対して始動入賞口装置１２に遊技球が入賞したことを示す識別情報を付しておき、かかる識別情報があるか否かを確認すること等によって行われる。始動入賞口装置１２に遊技球が入賞していないと判定した場合（Ｓ１：ＮＯ）には、払出制御ＣＰＵ１２６は、第一の不正行為判定処理を終了する。
【００５４】
始動入賞口装置１２に遊技球が入賞したと判定した場合（Ｓ１：ＹＥＳ）には、払出制御ＣＰＵ１２６は、Ｓ２において、作動検出スイッチ７６からの検出信号が入力されているか、即ち、一対の羽根６８，６８が開いているか否かを判定する。作動検出スイッチ７６からの検出信号が入力されていないと判定した場合（Ｓ２：ＮＯ）には、払出制御ＣＰＵ１２６は、第一の不正行為判定処理を終了する。
【００５５】
作動検出スイッチ７６からの検出信号が入力されていると判定した場合（Ｓ２：ＹＥＳ）には、払出制御ＣＰＵ１２６は、Ｓ３において、ソレノイド駆動回路１２０を介してソレノイド７０への通電が行われているか否かを判定する。この判定は、主制御ＣＰＵ１０６がソレノイド駆動回路１２０に対してソレノイド７０への通電を行わせるために出力した駆動信号をソレノイド駆動回路１２０が払出制御回路１２４に出力する場合には、かかる駆動信号が入力されているか否かを確認することによって、ソレノイド駆動回路１２０が主制御ＣＰＵ１０６からの駆動信号が入力されていること又はソレノイド７０への通電を行っていることを知らせる信号を出力する場合には、かかる信号が入力されているか否かを確認することによって行われるものである。ソレノイド７０への通電が行われていると判定した場合（Ｓ３：ＹＥＳ）には、払出制御ＣＰＵ１２６は、第一の不正行為判定処理を終了する。
【００５６】
ソレノイド７０への通電が行われていないと判定した場合（Ｓ３：ＮＯ）には、払出制御ＣＰＵ１２６は、Ｓ４において、ガラス枠開放検出スイッチ５０からの検出信号が入力されているか、即ち、ガラス枠４４が開いているか否かを判定する。ガラス枠開放検出スイッチ５０からの検出信号が入力されている場合（Ｓ４：ＹＥＳ）には、払出制御ＣＰＵ１２６は、第一の不正行為判定処理を終了する。
【００５７】
ガラス枠開放検出スイッチ５０からの検出信号が入力されていない場合（Ｓ４：ＮＯ）には、払出制御ＣＰＵ１２６は、Ｓ５において、不正行為阻止処理を実行する。この不正行為阻止処理は、発射制御回路４２に発射モータ４０への給電を停止させると共に、鳴動制御回路１３８にスピーカ３４から警報音を出力させるものである。この不正行為阻止処理によって、不正行為を続行することが不可能になると共に、ホールの係員に対して不正行為が行われたことを報知するようになっている。
【００５８】
そして、払出制御ＣＰＵ１２６は、Ｓ６において、ガラス枠開放検出スイッチ５０からの検出信号が入力されているか、即ち、ガラス枠４４が開放されたか否かを判定する。ガラス枠開放検出スイッチ５０からの検出信号が入力されていない場合（Ｓ６：ＮＯ）には、払出制御ＣＰＵ１２６は、ガラス枠開放検出スイッチ５０からの検出信号が入力されるまで待つ。ガラス枠開放検出スイッチ５０からの検出信号が入力された場合（Ｓ６：ＹＥＳ）には、払出制御ＣＰＵ１２６は、Ｓ７において、発射制御回路４２に発射モータ４０への給電を行わせると共に、鳴動制御回路１３８にスピーカ３４からの警告音の出力を停止させる解除処理を実行した後、第一の不正行為判定処理を終了する。
【００５９】
次に、このようなパチンコ機１０の第二の不正行為判定処理を、図１６に基づいて、説明する。先ず、Ｓ１１において、大入賞口装置２０に遊技球が入賞したか否かを判定する。この判定は、大入賞口装置２０に遊技球が入賞した際に払い出す賞球数と主制御ＣＰＵ１０６が払出制御回路１２４に払い出させる賞球の数が同じであるか否か、或いは、主制御ＣＰＵ１０６が払出制御回路１２４に賞球の払い出しを行わせるために送信する払出コマンドに対して大入賞口装置２０に遊技球が入賞したことを示す識別情報を付しておき、かかる識別情報があるか否かを確認すること等によって行われる。大入賞口装置２０に遊技球が入賞していないと判定した場合（Ｓ１１：ＮＯ）には、払出制御ＣＰＵ１２６は、第二の不正行為判定処理を終了する。
【００６０】
大入賞口装置２０に遊技球が入賞したと判定した場合（Ｓ１１：ＹＥＳ）には、払出制御ＣＰＵ１２６は、Ｓ１２において、大入賞口ソレノイド駆動回路１２２を介して大入賞口ソレノイド９６への通電が行われているか否かを判定する。この判定は、主制御ＣＰＵ１０６が大入賞口ソレノイド駆動回路１２２に対して大入賞口ソレノイド９６への通電を行わせるために出力した駆動信号を大入賞口ソレノイド駆動回路１２２が払出制御回路１２４に出力する場合には、かかる駆動信号が入力されているか否かを確認することによって、大入賞口ソレノイド駆動回路１２２が主制御ＣＰＵ１０６からの駆動信号が入力されていること又は大入賞口ソレノイド９６への通電を行っていることを知らせる信号を出力する場合には、かかる信号が入力されているか否かを確認すること等によって行われるものである。大入賞口ソレノイド９６への通電が行われていると判定した場合（Ｓ１２：ＹＥＳ）には、払出制御ＣＰＵ１２６は、第二の不正行為判定処理を終了する。
【００６１】
大入賞口ソレノイド９６への通電が行われていないと判定した場合（Ｓ１２：ＮＯ）には、払出制御ＣＰＵ１２６は、Ｓ１３において、ガラス枠開放検出スイッチ５０からの検出信号が入力されているか、即ち、ガラス枠４４が開いているか否かを判定する。ガラス枠開放検出スイッチ５０からの検出信号が入力されている場合（Ｓ１３：ＹＥＳ）には、払出制御ＣＰＵ１２６は、第二の不正行為判定処理を終了する。
【００６２】
ガラス枠開放検出スイッチ５０からの検出信号が入力されていない場合（Ｓ１３：ＮＯ）には、払出制御ＣＰＵ１２６は、Ｓ１４において、不正行為阻止処理を実行する。この不正行為阻止処理は、発射制御回路４２に発射モータ４０への給電を停止させると共に、鳴動制御回路１３８にスピーカ３４から警報音を出力させるものである。この不正行為阻止処理によって、不正行為を続行することが不可能になると共に、ホールの係員に対して不正行為が行われたことを報知するようになっている。
【００６３】
そして、払出制御ＣＰＵ１２６は、Ｓ１５において、ガラス枠開放検出スイッチ５０からの検出信号が入力されているか、即ち、ガラス枠４４が開いているか否かを判定する。ガラス枠開放検出スイッチ５０からの検出信号が入力されていない場合（Ｓ１５：ＮＯ）には、払出制御ＣＰＵ１２６は、ガラス扉開放検出スイッチ５０からの検出信号が入力されるまで待つ。ガラス枠開放検出スイッチ５０からの検出信号が入力された場合（Ｓ１５：ＹＥＳ）には、払出制御ＣＰＵ１２６は、Ｓ１６において、発射制御回路４２に発射モータ４０への給電を行わせると共に、鳴動制御回路１３８にスピーカ３４からの警告音の出力を停止させる解除処理を実行した後、第二の不正行為判定処理を終了する。
【００６４】
上述の説明から明らかなように、本実施形態では、払出制御ＣＰＵ１２６とＳ２によって、入賞装置状態検出手段が構成されていると共に、払出制御ＣＰＵ１２６とＳ３によって、制御信号検出手段が構成されており、更に、払出制御ＣＰＵ１２６とＳ４によって、前扉開閉検出手段が構成されている。また、払出制御ＣＰＵ１２６とＳ５によって、不正時所定処置手段が構成されている。更に、本実施形態では、払出制御ＣＰＵ１２６とＳ１１によって、入賞装置状態検出手段が構成されていると共に、払出制御ＣＰＵ１２６とＳ１２によって、制御信号検出手段が構成されており、更に、払出制御ＣＰＵ１２６とＳ１３によって、前扉開閉検出手段が構成されている。また、払出制御ＣＰＵ１２６とＳ１４によって、不正時所定処置手段が構成されている。
【００６５】
このような構造とされたパチンコ機１０においては、始動入賞口装置１２の入口に設けられた一対の羽根６８，６８を強制的に開かせる不正行為が行われたか否かの判定が、始動入賞口装置１２に遊技球が入賞した際に、払出制御ＣＰＵ１２６が、▲１▼一対の羽根６８，６８が開いていること、▲２▼ソレノイド７０への通電が行われていること、▲３▼ガラス枠４４が開いていること、という３つの条件を全て満たしていることを確認することで行われるようになっていることから、例えば、ホール係員がサービスとして始動入賞口装置１２に遊技球を入れた場合に、不正行為が行われたと判定されないようにすることが出来るのであり、それによって、ホールでの使用状況を考慮しつつ、始動入賞口装置１２の入口に設けられた一対の羽根６８，６８を強制的に開かせる不正行為をやめさせることが出来る。
【００６６】
また、本実施形態では、大入賞口装置２０の入口を閉鎖するように配設された開放扉２２を強制的に開かせる不正行為が行われたか否かの判定が、（１）大入賞口装置２０に遊技球が入賞したこと、（２）大入賞口ソレノイド９６への通電が行われていること、（３）ガラス枠４４が開いていること、という三つの条件を全て満たしていることを確認することで行われるようになっていることから、例えば、ホール係員がサービスとして大入賞口装置２０に遊技球を入れた場合に、不正行為が行われたと判定されないようにすることが出来るのであり、それによって、ホールでの使用状況を考慮しつつ、大入賞口装置２０の入口を閉鎖するように配設された開放扉２２を強制的に開かせる不正行為をやめさせることが出来る。
【００６７】
以上、本発明の一実施形態について詳述してきたが、これはあくまでも例示であって、本発明は、かかる実施形態における具体的な記載によって、何等、限定的に解釈されるものではない。
【００６８】
例えば、前記実施形態では、始動入賞口装置１２と大入賞口装置２０の両方に対して、本発明を適用したが、何れか一方にのみ本発明を適用しても良い。
【００６９】
また、前記実施形態では、不正行為が行われたと判定した場合には、発射モータ４０への給電が停止されると共に、スピーカ３４から警告音が出力されるようになっていたが、発射モータ４０への給電の停止およびスピーカ３４からの警告音の出力の何れかのみを行うようにしても良い。更に、不正行為が行われたと判定した場合には、遊技球が入賞しても賞球の払い出しを行わないようにする、特別図柄表示装置１６にメッセージを表示する，パチンコ機１０に設けられたＬＥＤ等を点灯乃至点滅する、ホールコンピュータに不正行為が行われたことを知らせる等の処置を講じても良い。
【００７０】
更にまた、前記実施形態では、払出制御ＣＰＵ１２６が不正行為が行われたか否かの判定を行うようになっていたが、かかる判定は、主制御ＣＰＵ１０６が行っても良いし、表示制御回路１１８に設けられている表示制御ＣＰＵが行っても良い。
【００７１】
また、遊技盤における遊技領域１４が形成されていない部分に、押圧操作等によって所定時間だけ不正行為が行われたと判断されないようにする操作ボタン等を設けておくことも可能である。
【００７２】
さらに、前記実施形態では、遊技不能な状態となってから、ガラス枠４４を開くことにより、遊技不能な状態を解除するようになっていたが、ガラス枠４４が開いている状態でのみ押圧操作可能なリセットボタンを設けておき、かかるリセットボタンの押圧操作に基づいて遊技不能な状態を解除するようにしても良い。
【００７３】
また、前記実施形態では、ソレノイド駆動回路１２０からの信号に基づいてソレノイド７０への通電が行われているか否かを判定するようになっていたが、ソレノイド７０への通電を行っていることを知らせる信号を主制御回路１０４が払出制御回路１２４に出力し、かかる信号に基づいてソレノイド７０への通電が行われているか否かを判定するようにしても良い。さらに、前記実施形態では、大入賞口ソレノイド駆動回路１２２からの信号に基づいて大入賞口ソレノイド９６への通電が行われているか否かを判定するようになっていたが、大入賞口ソレノイド９６への通電を行っていることを知らせる信号を主制御回路１０４が払出制御回路１２４に出力し、かかる信号に基づいて大入賞口ソレノイド９６への通電が行われているか否かを判定するようにしても良い。
【００７４】
加えて、前記実施形態では、第１種パチンコ機に本発明を適用した場合の一具体例が示されていたが、本発明は、第２種パチンコ機や第３種パチンコ機に対しても適用可能であることは、言うまでもない。
【００７５】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００７６】
【発明の効果】
上述の説明から明らかなように、本発明に従う構造とされた遊技機においては、入賞装置における予め定められた特定の状態が検出されていると共に、前扉の閉状態が検出されており、更に、可動部材を作動制御するための制御信号が検出されていない場合のみ、不正行為が行われたと判定するようになっていることから、ホールの係員が入賞装置に遊技球を入れるというサービスを行ったとしても、不正行為と判定されないようになっており、それによって、ホールでの使用状況を考慮しつつ、入賞装置の入口を不正に拡大又は開放せしめることを目的とする不正行為を阻止することが出来る。
【図面の簡単な説明】
【図１】本発明の一実施形態としてのパチンコ機の正面図である。
【図２】図１に示されたパチンコ機に採用されている始動入賞口装置における一対の羽根が開いていない状態下での正面図である。
【図３】図１に示されたパチンコ機に採用されている始動入賞口装置における一対の羽根が開いていない状態下での右側面図である。
【図４】図１に示されたパチンコ機に採用されている始動入賞口装置における一対の羽根が開いていない状態下での平面図である。
【図５】図１に示されたパチンコ機に採用されている始動入賞口装置における一対の羽根が開いた状態下での正面図である。
【図６】図１に示されたパチンコ機に採用されている始動入賞口装置における一対の羽根が開いた状態下での右側面図である。
【図７】図１に示されたパチンコ機に採用されている大入賞口装置における開放扉が開いていない状態下での正面図である。
【図８】図１に示されたパチンコ機に採用されている大入賞口装置における開放扉が開いていない状態下での右側面図である。
【図９】図１に示されたパチンコ機に採用されている大入賞口装置における開放扉が開いていない状態下での平面図である。
【図１０】図１に示されたパチンコ機に採用されている大入賞口装置における開放扉が開いた状態下での正面図である。
【図１１】図１に示されたパチンコ機に採用されている大入賞口装置における開放扉が開いた状態下での右側面図である。
【図１２】図１に示されたパチンコ機の裏面図である。
【図１３】図１に示されたパチンコ機に採用されている主制御回路を示すブロック図である。
【図１４】図１に示されたパチンコ機に採用されている払出制御回路を示すブロック図である。
【図１５】図１に示されたパチンコ機における第一の不正行為判定処理を示すフローチャートである。
【図１６】図１に示されたパチンコ機における第二の不正行為判定処理を示すフローチャートである。
【符号の説明】
１０  パチンコ機
１２  始動入賞口装置
１４  遊技領域
２０  大入賞口装置
２２  開放扉
４４  ガラス枠
６８  羽根
【図１】
2004313208.tif 000003
【図２】
2004313208.tif 000004
【図３】
2004313208.tif 000005
【図４】
2004313208.tif 000006
【図５】
2004313208.tif 000007
【図６】
2004313208.tif 000008
【図７】
2004313208.tif 000009
【図８】
2004313208.tif 000010
【図９】
2004313208.tif 000011
【図１０】
2004313208.tif 000012
【図１１】
2004313208.tif 000013
【図１２】
2004313208.tif 000014
【図１３】
2004313208.tif 000015
【図１４】
2004313208.tif 000016
【図１５】
2004313208.tif 000017
【図１６】
2004313208.tif 000018